(57)【要約】【課題】カード装填動作の際にカード30がカード投出口41に入り込むのを防ぎ、カード詰まりを防止できるカード装填装置31を提供する。【解決手段】カセット34へのカード装填動作の際に、機器の扉体15を開く。扉体15を開くと、傾動手段50により、カード投出口41がカード投出方向に対して上方へ向くようにカセット34を傾かせる。扉体15を開くと、規制手段57により、シャッタ53を閉じ、カード投出口41へのカード30の入り込みを規制する。カード装填動作の際にカード30がカード投出口41に入り込むのを防ぎ、カード詰まりを防止する。【選択図】図１
2007217064.tif 000002
【特許請求の範囲】
【請求項１】
複数枚のカードが装填されるカード装填部、このカード装填部に装填されたカードがカード投出方向へ向けて投出されるカード投出口を有するカード装填体と、
前記カード装填部へのカード装填動作に応じて、前記カード投出口がカード投出方向に対して上方へ向くように前記カード装填体を傾かせる傾動手段と
を具備していることを特徴とするカード装填装置。
【請求項２】
複数枚のカードが装填されるカード装填部、このカード装填部に装填されたカードがカード投出方向へ向けて投出されるカード投出口を有するカード装填体と、
前記カード装填部へのカード装填動作に応じて、前記カード投出口へのカードの入り込みを規制する規制手段と
を具備していることを特徴とするカード装填装置。
【請求項３】
複数枚のカードが装填されるカード装填部、このカード装填部に装填されたカードがカード投出方向へ向けて投出されるカード投出口を有するカード装填体と、
前記カード装填部へのカード装填動作に応じて、前記カード投出口がカード投出方向に対して上方へ向くように前記カード装填体を傾かせる傾動手段と、
前記カード装填部へのカード装填動作に応じて、前記カード投出口へのカードの入り込みを規制する規制手段と
を具備していることを特徴とするカード装填装置。
【請求項４】
カード装填体は、開閉可能な扉体を有する機器内に配置され、
カード装填動作とは、前記機器の扉体の開放動作である
ことを特徴とする請求項１ないし３いずれか記載のカード装填装置。
【請求項５】
カード装填体は、カード装填部内へのカードの装填を可能とする開閉可能な扉を有し、
カード装填動作とは、前記カード装填体の扉の開放動作である
ことを特徴とする請求項１ないし３いずれか記載のカード装填装置。
【発明の詳細な説明】
【技術分野】
【０００１】
本発明は、複数枚のカードが装填されるとともに装填されたカードがカード投出口から投出されるカード装填装置に関する。
【背景技術】
【０００２】
従来、例えば、カードを発行するカード発行機においては、複数枚のカードを収納し、このカードを１枚ずつ投出するカード投出装置を備えている。カード投出装置は、複数枚のカードを上下方向に集積状態に装填されるカード装填部を設けたカード装填体を備え、カード装填部内の最下位のカードをカード装填体に設けられたカード投出口から押し出して投出している。
【０００３】
そして、カード装着体がカード投出装置に設置されている状態で、カードをカード装填体のカード装填部内に装填可能としたものがある。
【０００４】
また、カード装填体として、カード投出装置に対して着脱可能なカセットを用い、カードを交換するときにカセットを交換するようにしたものがある。このカセットは、カード投出装置から取り外した状態で、カセットに設けられたシャッタによってカセットのカード投出口を閉じるようにしている（例えば、特許文献１参照）。
【特許文献１】特開平９−１５０９７４号公報（第５頁、図８−９）
【発明の開示】
【発明が解決しようとする課題】
【０００５】
しかしながら、カード投出装置に設置されたカード装着体のカード装填部内にカードを装填する際、最下位のカードや最下位から２番目のカードなどがカード投出口に入り込み、はみ出してしまうことがある。はみ出したカードが、最下位から２番目以降のカードであると、最下位のカード投出時に２番目のカードを噛み込んでしまい、カード詰まりが発生する問題がある。
【０００６】
また、カード装填体としてカセットを用いた場合、カセットを取り出した状態でカード装填できるが、カードを装填したカセットのセットミスが発生する。カセットを取り外してセットすれば、カードの飛び出しはない。また、カセットをカード投出装置に取り付けた状態ではカードをカセット内に装填することができない。仮に、カセットをカード投出装置に取り付けた状態で、カードをカセット内に装填可能に構成しても、その取付状態では、カセットのカード投出口が開放された状態にあるため、上述したように、最下位から２番目のカードが最下位のカードより先にカード投出口に入り込んだ場合、最下位のカード投出時に２番目のカードを噛み込んでしまい、カード詰まりが発生する問題がある。
【０００７】
本発明は、このような点に鑑みなされたもので、カード装填動作の際にカードがカード投出口に入り込むのを防ぎ、カード詰まりを防止できるカード装填装置を提供することを目的とする。
【課題を解決するための手段】
【０００８】
請求項１記載のカード装填装置は、複数枚のカードが装填されるカード装填部、このカード装填部に装填されたカードがカード投出方向へ向けて投出されるカード投出口を有するカード装填体と、前記カード装填部へのカード装填動作に応じて、前記カード投出口がカード投出方向に対して上方へ向くように前記カード装填体を傾かせる傾動手段とを具備しているものである。
【０００９】
請求項２記載のカード装填装置は、複数枚のカードが装填されるカード装填部、このカード装填部に装填されたカードがカード投出方向へ向けて投出されるカード投出口を有するカード装填体と、前記カード装填部へのカード装填動作に応じて、前記カード投出口へのカードの入り込みを規制する規制手段とを具備しているものである。
【００１０】
請求項３記載のカード装填装置は、複数枚のカードが装填されるカード装填部、このカード装填部に装填されたカードがカード投出方向へ向けて投出されるカード投出口を有するカード装填体と、前記カード装填部へのカード装填動作に応じて、前記カード投出口がカード投出方向に対して上方へ向くように前記カード装填体を傾かせる傾動手段と、前記カード装填部へのカード装填動作に応じて、前記カード投出口へのカードの入り込みを規制する規制手段とを具備しているものである。
【００１１】
請求項４記載のカード装填装置は、請求項１ないし３いずれか記載のカード装填装置において、カード装填体は、開閉可能な扉体を有する機器内に配置され、カード装填動作とは、前記機器の扉体の開放動作であるものである。
【００１２】
請求項５記載のカード装填装置は、請求項１ないし３いずれか記載のカード装填装置において、カード装填体は、カード装填部内へのカードの装填を可能とする開閉可能な扉を有し、カード装填動作とは、前記カード装填体の扉の開放動作であるものである。
【発明の効果】
【００１３】
請求項１記載のカード装填装置によれば、カード装填部へのカード装填動作に応じて、傾動手段によりカード投出口がカード投出方向に対して上方へ向くようにカード装填体を傾かせるため、カード装填動作の際にカードがカード投出口に入り込むのを防ぎ、カード詰まりを防止できる。
【００１４】
請求項２記載のカード装填装置によれば、カード装填部へのカード装填動作に応じて、規制手段によりカード投出口へのカードの入り込みを規制するため、カード装填動作の際にカードがカード投出口に入り込むのを防ぎ、カード詰まりを防止できる。
【００１５】
請求項３記載のカード装填装置によれば、カード装填部へのカード装填動作に応じて、傾動手段によりカード投出口がカード投出方向に対して上方へ向くようにカード装填体を傾かせるとともに、規制手段によりカード投出口へのカードの入り込みを規制するため、カード装填動作の際にカードがカード投出口に入り込むのを確実に防ぎ、カード詰まりを防止できる。
【００１６】
請求項４記載のカード装填装置によれば、請求項１ないし３いずれか記載のカード装填装置の効果に加えて、カード装填動作の際に、特別な操作をすることなく、機器の扉体の開放動作に連動してカードがカード投出口に入り込むのを自動的に防ぐことができる。
【００１７】
請求項５記載のカード装填装置によれば、請求項１ないし３いずれか記載のカード装填装置の効果に加えて、カード装填動作の際に、特別な操作をすることなく、カード装填体の扉の開放動作に連動してカードがカード投出口に入り込むのを自動的に防ぐことができる。
【発明を実施するための最良の形態】
【００１８】
以下、本発明の一実施の形態を図面を参照して説明する。
【００１９】
図３には、カード発行機を備えた機器11として例えば自動契約受付機を示す。この自動契約受付機は、ローン会社などの契約端末で、所定事項を記入した書類に免許書などの写真付証明書を添えて撮影された画像をセンタへ送信すると、センタ側で審査し、その審査が通ればカードを発行する。その発行されたカードを利用して、ローン会社指定のＡＴＭで現金を借り受けることができる。
【００２０】
自動契約受付機は、書類記入台12およびこの書類記入台12の奥側から立設された接客部13を有する機体14を有し、接客部13の前面側には上部側を支点として前側上方に開放可能に扉体15が配設されている。この扉体15には、機体14に閉じた状態で施錠する扉体錠16、表示パネルおよび操作パネルとして兼用されるタッチパネル17、カードが発行されるカード取扱口18などが配設されている。さらに、接客部13には、書類を発行する書類発行口19、センタ側の担当者と通話するハンドセット20などが配設されている。
【００２１】
接客部13の扉体15の内側には、図４に示すように、カードを発行するカード発行機21が配設されている。このカード発行機21には、カード取扱口18の後方に位置するカードリーダ22とこのカードリーダ22の側部に位置する複数のカード投出装置23とが機器11の幅方向に配設され、これらカードリーダ22および複数のカード投出装置23の後方域に各カード投出装置23から後方へ投出されるカードを取り込んでカードリーダ22に受け渡す取込部24が移動可能に配置されている。カードリーダ22では、カードに所定事項を記録または記憶し、カード取扱口18から排出する。
【００２２】
図１および図２に示すように、各カード投出装置23は、複数枚のカード30が装填されるカード装填装置31、およびこのカード装填装置31からカード30を１枚ずつ投出するカード投出装置本体32を備えている。なお、以下、カード装填装置31からカード30を投出するカード投出方向を後側、カード投出方向に対して反対方向を前側として説明する。
【００２３】
カード装填装置31は、複数枚のカード30が上下方向に重積状態に装填されて収納するカード装填部33を有するカード装填体としてのカセット34を備えている。このカセット34は、後側の側面部としての後面部35、両側の側面部36、上側の上面部37および下側の底面部38を有し、前面略全体にカード装填口39が開口された箱形に形成されている。カセット34の前面にはカード装填口39を開閉する扉40が開閉可能に設けられ、カセット34の後面部35の下部にカード装填部33内の最下位のカード30がカード投出装置本体32によって投出されるカード投出口41が形成されている。扉40はカセット34のカード装填口39を閉じた位置で解除可能にロックがかかるように構成され、この扉40がハーフロック状態にあるときでも機器11の扉体15が閉じられれば、扉体15に設けられた押し部材43で扉40が開かないように押さえ付けられる。
【００２４】
カセット34の両側の側面部36の前側下部は支点となる支軸42によってカード投出装置本体32に回動可能に軸支され、カセット34がカード投出装置本体32上に略水平に載って後方への所定のカード投出方向にカード投出口41が対向するカード投出姿勢（図２に示す姿勢）と、カード投出方向に対してカード投出口41が斜め上方へ向かうようにカセット34が前方へ所定角度傾斜した傾斜姿勢（図１に示す姿勢）との間で回動可能としている。そして、カセット34は、自重でカード投出姿勢をとるように構成されている。
【００２５】
カード投出装置本体32に配置されたカセット34の上方には、機器11側に対して前後方向にスライド可能とするスライド体46が配置されている。このスライド体46の後端にはカセット34の後面部35に当接可能とするカセット当接部47が略Ｌ字形に折曲形成され、スライド体46の前端には閉じられた扉体15に当接する扉体当接部48が略Ｌ字形に折曲形成されている。スライド体46にはこのスライド体46を前方へ付勢する付勢手段としての引張ばね49が機器11側との間に張設されている。そして、扉体15が閉じられた状態で、スライド体46の扉体当接部48が扉体15に当接し、スライド体46が引張ばね49の付勢に抗して後方へスライドし、スライド体46のカセット当接部47がカード投出姿勢のカセット34から後方に離反し、一方、扉体15が開かれることにより、扉体15によるスライド体46の後方への押圧が解除され、スライド体46が引張ばね49の付勢で前方へスライドし、スライド体46のカセット当接部47がカセット34に当接してこのカセット34を傾斜姿勢に回動させる。カセット34の傾斜姿勢への回動は、図示しないストッパなどで所定の傾斜角度で規制される。
【００２６】
したがって、支軸42、スライド体46および引張ばね49などにより、カード装填時に、扉体15を開くカード装填動作に応じて、カセット34のカード投出口41がカード投出方向に対して上方へ向く傾斜姿勢となるようにカセット34を傾かせる傾動手段50が構成されている。
【００２７】
カセット34の後面部35にはシャッタ53が上下方向にスライド可能に取り付けられ、このシャッタ53はシャッタ付勢手段としての引張ばね54によって下方のカード投出口41へ向けて付勢されている。シャッタ53が下方へスライドした際には、シャッタ53の下端がカード投出口41に侵入し、カード投出口41の寸法をカード30が入り込まない寸法になるように閉じる。シャッタ53の上端には、カセット34がカード投出姿勢をとる状態でカード投出装置本体32側に設けられたシャッタ開放部としての当て板55に当接する開放作用部56が略Ｌ字形に折曲形成されている。そして、扉体15がカード投出姿勢をとる状態で、開放作用部56が当て板55に当接し、シャッタ53が引張ばね54の付勢に抗して上昇してカード投出口41を開放し、一方、カセット34が傾斜姿勢に傾斜することにより、開放作用部56が当て板55から離反し、シャッタ53が引張ばね54の付勢によって下降してカード投出口41を閉じる。したがって、シャッタ53、引張ばね54、当て板55などにより、カード装填時に、扉体15を開くカード装填動作に応じて、カード投出口41へのカード30の入り込みを規制する規制手段57が構成されている。
【００２８】
また、カード投出装置本体32は、上面にカセット34が載置される載置面61が形成された本体部62を有し、この本体部62の載置面61の前部にガイド63が立設されているとともに、本体部62の後側および両側に断面略コ字形のガイド64が立設され、これら本体部62上で各ガイド63，64の内側にカセット34が傾動可能および着脱可能に装着される装着部65が形成されている。
【００２９】
本体部62の前寄り位置には、本体部62の載置面61から突出するとともにカセット34内に侵入してカード投出方向に移動可能とする押出部材66が配置されている。本体部62の載置面61およびカセット34の底面部38には押出部材66の移動を許容する溝が形成されている。押出部材66には、カセット34内の最下位のカード30のカード投出方向後端を支持する傾斜状の支持面67、および支持面67の中間位置で最下位のカード30のカード投出方向後端に係合可能とする段差で構成された係合部68が形成されている。押出部材66のカード投出方向後部には、押出部材66より上方に突出してカード投出動作に伴う押出部材66の移動時に最下位から２番目のカード30を支持する支持ローラ69が回転自在に取り付けられている。そして、押出部材66は、駆動モータ70の駆動により、図示しない作動機構を介してカード投出方向に対して往復移動する。
【００３０】
本体部62の後寄り位置には、カセット34のカード投出口41を通じてカード30を１枚ずつに規制して投出するゲート73が構成されている。このゲート73は、複数のローラ74が回転自在に設けられて構成される下側ゲート部75と、この下側ゲート部75の上方に対向する上側ゲート部76とで構成されている。
【００３１】
ゲート73の後方にはゲート73を通過したカード30を挟持してカード投出方向に搬送する上下の投出ローラ79，80が回転可能に配置されている。下側の投出ローラ80にはプーリ81が取り付けられ、このプーリ81と駆動モータ70によって駆動されるプーリ82との間にベルト83が張設され、下側の投出ローラ80がカード投出方向に回転駆動される。
【００３２】
なお、カセット34内のカード30のエンプティを検知する図示しないエンプティ検知手段を備えている。
【００３３】
次に、本実施の形態の作用を説明する。
【００３４】
図２に示すように、機器11の扉体15が閉じている状態では、扉体15に扉体当接部48が当接するスライド体46が引張ばね49の付勢に抗して後方へスライドし、スライド体46のカセット当接部47がカード投出姿勢のカセット34から後方に離反し、カセット34は自重でカード投出姿勢をとっている。カセット34がカード投出姿勢をとることで、シャッタ53の開放作用部56が当て板55に当接し、シャッタ53が引張ばね54の付勢に抗して上昇してカード投出口41を開放している。扉体15の押し部材43でカセット34の扉40がハーフロック状態にあってもその扉40が開かないように押さえ付けている。
【００３５】
カセット34内の最下位のカード30は、押出部材66の支持面67と下側ゲート部75のローラ74とに支持されている。
【００３６】
そして、カード投出時には、駆動モータ70の駆動により、押出部材66がカード投出方向に移動し、この押出部材66の係合部68が最下位のカード30のカード投出方向後端に係合してその最下位のカード30をカード投出方向に押し出す。最下位のカード30のカード投出方向先端側の下面は下側ゲート部75のローラ74によって支持され、この最下位のカード30と一緒に最下位から２番目のカード30が移動しようとしても、その２番目のカード30のカード投出方向先端側が上側ゲート部76に当接して移動が規制される。したがって、最下位のカード30の１枚のみが、カセット34のカード投出口41に入り込んでゲート73を通過し、上下の投出ローラ79，80間に挟まれてカード投出方向へ投出される。
【００３７】
最下位のカード30のカード投出方向先端側が上下の投出ローラ79，80間に挟まれた後に、押出部材66は、移動方向を反転して前方へ移動する。最下位のカード30のカード投出方向後端が上下の投出ローラ79，80間より送り出され、押出部材66が初期の位置まで戻れば、駆動モータ70を停止する。そして、２番目にあったカード30が最下位となり、この最下位となったカード30は押出部材66の支持面67と下側ゲート部75のローラ74とに支持され、次の投出動作に待機する。
【００３８】
次に、カセット34にカード30を装填するカード装填時には、図１に示すように、機器11の扉体15を解錠して開くことにより、扉体15の押し部材43が離反してカセット34の傾斜が許容されるとともに、扉体15によるスライド体46の後方への押圧が解除され、スライド体46が引張ばね49の付勢で前方へスライドし、スライド体46のカセット当接部47がカセット34に当接してこのカセット34を傾斜姿勢に回動させる。
【００３９】
カセット34が傾斜姿勢をとることにより、カード投出口41がカード投出方向に対して上方へ向き、開放作用部56が当て板55から離反し、シャッタ53が引張ばね54の付勢によって下降してカード投出口41を閉じる。
【００４０】
このカセット34の扉40をロック解除して開き、カセット34の前面のカード装填口39からカード30を装填する。このとき、カード投出口41がカード投出方向に対して上方へ向いた状態にあるので、カード30がカード投出口41に入り込みにくい。また、カード30がカード投出口41に入り込もうとしても、シャッタ53によってカード投出口41に入り込んだりはみ出すのを規制する。
【００４１】
このように、カセット34へのカード装填動作に応じて、傾動手段50によりカード投出口41がカード投出方向に対して上方へ向くようにカセット34を傾かせるとともに、規制手段57のシャッタ53によりカード投出口41へのカードの入り込みを規制するため、カード装填動作の際にカード30がカード投出口41に入り込むのを確実に防ぎ、カード詰まりを防止できる。
【００４２】
しかも、カード装填動作の際に、特別な操作をすることなく、機器11の扉体15の開放動作に連動してカード30がカード投出口41に入り込むのを自動的に防ぐことができる。
【００４３】
また、カセット34へのカード30の装填後は、カセット34の扉40を閉じてロックし、機器11の扉体15を閉じることにより、図１に示すように、扉体15で扉体当接部48を押し、カセット34からカセット当接部47が離れることで、カセット34は自重でカード投出姿勢をとり、扉体15に扉体当接部48が当接するスライド体46が引張ばね49の付勢に抗して後方へスライドし、スライド体46のカセット当接部47がカード投出姿勢のカセット34から後方に離反する。カセット34がカード投出姿勢をとることで、シャッタ53の開放作用部56が当て板55に当接し、シャッタ53が引張ばね54の付勢に抗して上昇してカード投出口41を開放する。カセット34内の最下位のカード30は、押出部材66と下側ゲート部75のローラ74とに支持される。これにより、最下位のカード30の投出が可能となる。
【００４４】
なお、前記実施の形態では、カード装填動作の際に、傾動手段50と規制手段57との両方を用いていたが、いずれか一方のみを用いてもよく、いずれか一方のみでもカード装填動作の際にカード30がカード投出口41に入り込むのを防ぐことができる。
【００４５】
また、カード装填動作としては、機器11の扉体15の開放動作に連動させることに限らず、カセット34の扉40の開放動作に連動させるようにしてもよい。この場合にも、カセット34の扉40を開放すると、傾動手段50によってカセット34をカード投出口41がカード投出方向に対して上方へ向くように傾斜させたり、規制手段57によってカード投出口41へカード30が入り込むのを規制することにより、カード装填動作の際に、特別な操作をすることなく、カセット34の扉40の開放動作に連動してカード30がカード投出口41に入り込むのを自動的に防ぐことができる。
【００４６】
また、傾動手段50や規制手段57は、機器11の扉体15やカセット34の扉40の開放動作に対して機械的に連動する場合に限らず、それら機器11の扉体15やカセット34の扉40の開放を開放検知手段で検知し、モータやソレノイドなどの電気的駆動部の駆動によってカセット34を傾斜させたりカード投出口41を閉じるようにしてもよい。
【００４７】
また、上記のようなカード装填装置31を適用する機器11としては、自動契約受付機に限らず、カード30を取り扱うカード発行装置などの各種機器にも適用にできる。
【図面の簡単な説明】
【００４８】
【図１】本発明の一実施の形態を示すカード装填装置のカード装填状態の側面図である。
【図２】同上カード装填装置のカード投出可能状態の側面図である。
【図３】同上カード装填装置を適用した機器の斜視図である。
【図４】同上カード装填装置を適用したカード発行機の構成図である。
【符号の説明】
【００４９】
11    機器
15    扉体
30    カード
33    カード装填部
34    カード装填体としてのカセット
40    扉
41    カード投出口
50    傾動手段
57    規制手段
【図１】
2007217064.tif 000003
【図２】
2007217064.tif 000004
【図３】
2007217064.tif 000005
【図４】
2007217064.tif 000006